(57)【要約】本開示のいくつかの態様は、１つまたは複数の局（ＳＴＡ）によるアップリンク空間分割多元接続（ＳＤＭＡ）送信のための媒体アクセス制御（ＭＡＣ）プロトコルを提示する。アクセスポイント（ＡＰ）は、複数の局からアップリンクＳＤＭＡ送信を求める１つまたは複数の要求を受信し得る。アクセスポイントは、当該複数の局に、スタート時間、送信の持続時間、各局に割り当てられた空間ストリームなどのアップリンクＳＤＭＡ送信のパラメータを通知するために、信号を送信することによって、複数の送信をスケジュールし得る。【選択図】図１
2017539125.tif 000002
【特許請求の範囲】
【請求項１】
ワイヤレス通信のための方法であって、
シングルユーザ（ＳＵ）送信のための閾値持続時間のインジケーションを、１つまたは複数の装置に送信することと、
ＳＵ送信のための前記示された閾値持続時間よりも大きい対応する送信時間をもつデータを有する、前記１つまたは複数の装置のうちの少なくとも１つから、前記データを送信するための空間分割多元接続（ＳＤＭＡ）送信用の送信スロットを求める要求メッセージを受信することと、
送信機会（ＴＸＯＰ）開始フレームを、ＳＤＭＡ ＴＸＯＰの開始を示すために、前記少なくとも１つの装置に送信することと、
を備える方法。
【請求項２】
前記要求メッセージは、ＴＸＯＰ要求フレームを備える、請求項１に記載の方法。
【請求項３】
前記要求メッセージは、前記少なくとも１つの装置にバッファされたデータの量を示すフレームを備える、請求項１に記載の方法。
【請求項４】
前記フレームは、ＳＵ送信のための前記閾値持続時間を超えないデータフレームまたはヌルフレームのうちの少なくとも１つを備える、請求項３に記載の方法。
【請求項５】
前記少なくとも１つの装置にバッファされた前記示されたデータの量と、前記ＳＤＭＡ ＴＸＯＰにおいて受信された情報とに基づいて、前記少なくとも１つの装置に後続のＴＸＯＰ開始フレームを送信することをさらに備える、請求項３に記載の方法。
【請求項６】
前記要求メッセージを受信することに応答して、バックオフタイマを開始すること、をさらに備え、ここにおいて、前記ＴＸＯＰ開始フレームは、前記バックオフタイマが満了した場合、または前記バックオフタイマが満了する前に十分な数の要求メッセージが受信された場合、送信される、請求項１に記載の方法。
【請求項７】
ワイヤレス通信のための方法であって、
シングルユーザ（ＳＵ）送信のための閾値持続時間のインジケーションを、アクセスポイントから受信することと、
データの送信時間がＳＵ送信のための前記閾値持続時間を超えることとなると決定することと、
前記決定に応答して、空間分割多元接続（ＳＤＭＡ）送信用の送信スロットを求める要求メッセージを送信することと、
を備える方法。
【請求項８】
ＳＤＭＡ送信の開始のインジケーションを備える送信機会（ＴＸＯＰ）開始フレームを受信することと、
前記ＴＸＯＰ開始フレームにしたがって、ＴＸＯＰ中にＳＤＭＡデータを送信することと、
をさらに備える、請求項７に記載の方法。
【請求項９】
前記要求メッセージは、ＴＸＯＰ要求フレームを備える、請求項７に記載の方法。
【請求項１０】
前記要求メッセージは、前記少なくとも１つの装置にバッファされたデータの量を示すフレームを備える、請求項７に記載の方法。
【請求項１１】
前記フレームは、ＳＵ送信のための前記閾値持続時間を超えないデータフレームまたはヌルフレームのうちの少なくとも１つを備える、請求項１０に記載の方法。
【請求項１２】
ワイヤレス通信のための装置であって、
シングルユーザ（ＳＵ）送信のための閾値持続時間のインジケーションを１つまたは複数の装置に送信するための手段と、
ＳＵ送信のための前記示された閾値持続時間よりも大きい対応する送信時間をもつデータを有する、前記１つまたは複数の装置のうちの少なくとも１つから、前記データを送信するための空間分割多元接続（ＳＤＭＡ）送信用の送信スロットを求める要求メッセージを受信するための手段と、
送信機会（ＴＸＯＰ）開始フレームを、ＳＤＭＡ ＴＸＯＰの開始を示すために、前記少なくとも１つの装置に送信するための手段と、
を備える装置。
【請求項１３】
ワイヤレス通信のための装置であって、
シングルユーザ（ＳＵ）送信のための閾値持続時間のインジケーションを、アクセスポイントから受信するための手段と、
データの送信時間がＳＵ送信のための前記閾値持続時間を超えることとなると決定するための手段と、
前記決定に応答して、空間分割多元接続（ＳＤＭＡ）送信用の送信スロットを求める要求メッセージを送信するための手段と、
を備える装置。
【請求項１４】
ワイヤレス通信のためのコンピュータプログラム製品であって、
シングルユーザ（ＳＵ）送信のための閾値持続時間のインジケーションを、１つまたは複数の装置に送信することと、
ＳＵ送信のための前記示された閾値持続時間よりも大きい対応する送信時間をもつデータを有する、前記１つまたは複数の装置のうちの少なくとも１つから、前記データを送信するための空間分割多元接続（ＳＤＭＡ）送信用の送信スロットを求める要求メッセージを受信することと、
送信機会（ＴＸＯＰ）開始フレームを、ＳＤＭＡ ＴＸＯＰの開始を示すために、前記少なくとも１つの装置に送信することと、
を実行可能な命令を備えるコンピュータ可読媒体を備える、コンピュータプログラム製品。
【請求項１５】
ワイヤレス通信のためのコンピュータプログラム製品であって、
シングルユーザ（ＳＵ）送信のための閾値持続時間のインジケーションを、アクセスポイントから受信することと、
データの送信時間がＳＵ送信のための前記閾値持続時間を超えることとなると決定することと、
前記決定に応答して、空間分割多元接続（ＳＤＭＡ）送信用の送信スロットを求める要求メッセージを送信することと、
を実行可能な命令を備えるコンピュータ可読媒体を備える、コンピュータプログラム製品。
【請求項１６】
ワイヤレス通信のためのアクセスポイントであって、
複数のアンテナと、
シングルユーザ（ＳＵ）送信のための閾値持続時間のインジケーションを、１つまたは複数の装置に、前記複数のアンテナを介して送信するための送信機と、
ＳＵ送信のための前記示された閾値持続時間よりも大きい対応する送信時間をもつデータを有する、前記１つまたは複数の装置のうちの少なくとも１つから、前記データを送信するための空間分割多元接続（ＳＤＭＡ）送信用の送信スロットを求める要求メッセージを、前記複数のアンテナを介して受信するための受信機と、
を備え、前記送信機はまた、送信機会（ＴＸＯＰ）開始フレームを、ＳＤＭＡ ＴＸＯＰの開始を示すために、前記少なくとも１つの装置に、前記複数のアンテナを介して送信するためのものである、アクセスポイント。
【請求項１７】
ワイヤレス通信のための局であって、
少なくとも１つアンテナと、
シングルユーザ（ＳＵ）送信のための閾値持続時間のインジケーションを、アクセスポイントから、前記少なくとも１つアンテナを介して受信するための受信機と、
データの送信時間がＳＵ送信のための前記閾値持続時間を超えることとなると決定するように構成された処理システムと、
前記決定に応答して、空間分割多元接続（ＳＤＭＡ）送信用の送信スロットを求める要求メッセージを、前記少なくとも１つアンテナを介して送信するための送信機と、
を備える局。
【発明の詳細な説明】
【技術分野】
【０００１】
[0001]本開示のいくつかの態様は、一般にワイヤレス通信に関し、より詳細には、アップリンク空間分割多元接続（ＳＤＭＡ：spatial division multiple access）における送信機会スケジューリングに関する。
【背景技術】
【０００２】
[0002]ワイヤレス通信システムのために必要とされる帯域幅要件を増大するという課題に対処するために、複数のユーザ端末が、チャネルリソースを共有することによって、高データスループットを達成すると同時に、単一のアクセスポイントと通信することができるようにする、異なるスキームが開発されてきている。多入力または多出力（ＭＩＭＯ）技術は、次世代通信システムのための人気の技法として近年登場してきた１つのそのようなアプローチを示す。ＭＩＭＯ技術は、米国電気電子学会（ＩＥＥＥ）８０２．１１といった、いくつかの台頭しつつあるワイヤレス通信規格に採用されてきた。ＩＥＥＥ８０２．１１は、ＩＥＥＥ８０２．１１委員会により、例えば、数十メートルから数百メートルの短距離通信用に開発された、ワイヤレスローカルエリアネットワーク（ＷＬＡＮ）のエア・インターフェース規格のセットを表す。
【０００３】
[0003]ＭＩＭＯワイヤレスシステムは、データ送信のために多数（ＮＴ個）の送信アンテナと多数（ＮＲ個）の受信アンテナとを用いる。ＮＴ個の送信およびＮＲ個の受信アンテナによって形成されたＭＩＭＯチャネルは、ＮＳ個の空間ストリームに分解され得る、ここで、全ての実際的な目的のために、ＮＳ <= min {ＮＴ, ＮＲ}である。ＮＳ個の空間ストリームは、全体的なスループットの増大を達成するために、ＮＳ個の独立データストリームの送信に使用され得る。
【０００４】
[0004]単一のアクセスポイントと複数の局とを有するワイヤレスネットワークでは、アップリンク（ＵＬ）およびダウンリンク（ＤＬ）方向の両方において、異なる局に対する複数のチャネルで、並行送信が発生し得る。多くのチャレンジが、このようなシステムに提案されており、例えば、非レガシーデバイスに加えてレガシーデバイスと通信する能力、リソースの効率的な使用、およびインターフェースなどが提案されている。
【発明の概要】
【０００５】
[0005]本開示のいくつかの態様は、ワイヤレス通信のための方法を提供する。方法は、概して、１つまたは複数の装置から、空間分割多元接続（ＳＤＭＡ）送信用の送信スロットを求める１つまたは複数の要求メッセージを受信することと、送信機会（ＴＸＯＰ）開始フレームを、ＳＤＭＡ ＴＸＯＰの開始を示すために、１つまたは複数の装置へ送信することとを含む。
【０００６】
[0006]本開示のいくつかの態様は、ワイヤレス通信のための方法を提供する。方法は、概して、空間分割多元接続（ＳＤＭＡ）送信用の送信スロットを求める要求メッセージを送信することと、ＳＤＭＡ送信の開始のインジケーション（indication）を備える送信機会（ＴＸＯＰ）開始フレームを受信することと、ＴＸＯＰ開始フレームに従ってＴＸＯＰ中にＳＤＭＡデータを送信することとを含む。
【０００７】
[0007]本開示のいくつかの態様は、ワイヤレス通信のための装置を提供する。装置は、概して、１つまたは複数の装置から、空間分割多元接続（ＳＤＭＡ）送信用の送信スロットを求める１つまたは複数の要求メッセージを受信するように構成された受信器と、送信機会（ＴＸＯＰ）開始フレームを、ＳＤＭＡ ＴＸＯＰの開始を示すために、１つまたは複数の装置へ送信するように構成された送信器とを含む。
【０００８】
[0008]本開示のいくつかの態様は、ワイヤレス通信のための装置を提供する。装置は、概して、空間分割多元接続（ＳＤＭＡ）送信用の送信スロットを求める要求メッセージを送信するように構成された送信機と、ＳＤＭＡ送信の開始のインジケーションを備える送信機会（ＴＸＯＰ）開始フレームを受信するように構成された受信機とを含み、ここにおいて、送信機は、ＴＸＯＰ開始フレームに従ってＴＸＯＰ中にＳＤＭＡデータを送信するようにさらに構成される。
【０００９】
[0009]本開示のいくつかの態様は、ワイヤレス通信のための装置を提供する。装置は、概して、１つまたは複数の装置から、空間分割多元接続（ＳＤＭＡ）送信用の送信スロットを求める１つまたは複数の要求メッセージを受信するための手段と、送信機会（ＴＸＯＰ）開始フレームを、ＳＤＭＡ ＴＸＯＰの開始を示すために、１つまたは複数の装置へ送信するための手段とを含む。
【００１０】
[0010]本開示のいくつかの態様は、ワイヤレス通信のための装置を提供する。装置は、概して、空間分割多元接続（ＳＤＭＡ）送信用の送信スロットを求める要求メッセージを送信するための手段と、ＳＤＭＡ送信の開始のインジケーションを含む送信機会（ＴＸＯＰ）開始フレームを受信するための手段とを含み、ここにおいて、送信するための手段は、ＴＸＯＰ開始フレームに従ってＴＸＯＰ中にＳＤＭＡデータを送信するための手段をさらに備える。
【００１１】
[0011]本開示のいくつかの態様は、命令を備えるコンピュータ可読媒体を備える、ワイヤレス通信のためのコンピュータプログラム製品を提供する。命令は、１つまたは複数の装置から、空間分割多元接続（ＳＤＭＡ）送信用の送信スロットを求める１つまたは複数の要求メッセージを受信することと、送信機会（ＴＸＯＰ）開始フレームを、ＳＤＭＡ ＴＸＯＰの開始を示すために、１つまたは複数の装置へ送信することとを実行可能である。
【００１２】
[0012]本開示のいくつかの態様は、命令を備えるコンピュータ可読媒体を備える、ワイヤレス通信のためのコンピュータプログラム製品を提供する。命令は、空間分割多元接続（ＳＤＭＡ）送信用の送信スロットを求める要求メッセージを送信することと、ＳＤＭＡ送信の開始のインジケーションを備える送信機会（ＴＸＯＰ）開始フレームを受信することと、ＴＸＯＰ開始フレームに従ってＴＸＯＰ中にＳＤＭＡデータを送信することとを実行可能である。
【００１３】
[0013]いくつかの態様は、ワイヤレス通信のためのアクセスポイントを提供する。アクセスポイントは、複数のアンテナと、複数のアンテナを介して、空間分割多元接続（ＳＤＭＡ）送信用の送信スロットを求める１つまたは複数の要求メッセージを、１つまたは複数の装置から受信するように構成された受信機と、送信機会（ＴＸＯＰ）開始フレームを、ＤＭＡ ＴＸＯＰの開始を示すために、１つまたは複数の装置へ送信するように構成された送信機とを含む。
【００１４】
[0014]いくつかの態様は、ワイヤレス通信のための局を提供する。局は、概して、少なくとも1つのアンテナと、少なくとも1つのアンテナを介して、空間分割多元接続（ＳＤＭＡ）送信用の送信スロットを求める要求メッセージを送信するように構成された送信機と、ＳＤＭＡ送信の開始のインジケーションを備える送信機会（ＴＸＯＰ）開始フレームを受信するように構成された受信機とを含み、ここにおいて、送信機は、ＴＸＯＰ開始フレームに従ってＴＸＯＰ中にＳＤＭＡデータを送信するようにさらに構成される。
【００１５】
[0015]いくつかの態様は、アクセスポイント（ＡＰ）によって実行される、ワイヤレス通信の方法を提供する。方法は、概して、シングルユーザ（ＳＵ）送信のための閾値持続時間のインジケーションを１つまたは複数の装置へ送信することと、ＳＵ送信のための前記示された閾値持続時間よりも大きい対応する送信時間をもつデータを有する、該１つまたは複数の装置のうちの少なくとも１つから、該データを送信するための空間分割多元接続（ＳＤＭＡ）送信用の送信スロットを求める要求メッセージを受信することと、送信機会（ＴＸＯＰ）開始フレームを、ＳＤＭＡ ＴＸＯＰの開始を示すために、該少なくとも１つの装置へ送信することとを含む。
【００１６】
[0016]いくつかの態様は、局（ＳＴＡ）によって実行される、ワイヤレス通信の方法を提供する。方法は、概して、シングルユーザ（ＳＵ）送信のための閾値持続時間のインジケーションをアクセスポイントから受信することと、データの送信時間がＳＵ送信のための閾値持続時間を超えることとなると決定することと、およびこの決定に応答して、空間分割多元接続（ＳＤＭＡ）送信用の送信スロットを求める要求メッセージを送信することとを含む。
【００１７】
[0017]いくつかの態様は、ワイヤレス通信のための装置を提供する。装置は、概して、シングルユーザ（ＳＵ）送信のための閾値持続時間のインジケーションを１つまたは複数の装置へ送信するための手段と、ＳＵ送信のための前記示された閾値持続時間よりも大きい対応する送信時間をもつデータを有する、該１つまたは複数の装置のうちの少なくとも１つから、該データを送信するための空間分割多元接続（ＳＤＭＡ）送信用の送信スロットを求める要求メッセージを受信するための手段と、送信機会（ＴＸＯＰ）開始フレームを、ＳＤＭＡ ＴＸＯＰの開始を示すために、該少なくとも１つの装置へ送信するための手段とを含む。
【００１８】
[0018]いくつかの態様は、ワイヤレス通信のための装置を提供する。装置は、概して、シングルユーザ（ＳＵ）送信のための閾値持続時間のインジケーションをアクセスポイントから受信するための手段と、データの送信時間がＳＵ送信のための閾値持続時間を超えることとなると決定するための手段と、この決定に応答して、空間分割多元接続（ＳＤＭＡ）送信用の送信スロットを求める要求メッセージを送信するための手段とを含む。
【００１９】
[0019]いくつかの態様は、ワイヤレス通信のための装置を提供する。装置は、概して、シングルユーザ（ＳＵ）送信のための閾値持続時間のインジケーションを１つまたは複数の装置へ送信するための送信機と、ＳＵ送信のための前記示された閾値持続時間よりも大きい対応する送信時間をもつデータを有する、該１つまたは複数の装置のうちの少なくとも１つから、該データを送信するための空間分割多元接続（ＳＤＭＡ）送信用の送信スロットを求める要求メッセージを受信するための受信機とを含み、ここにおいて、送信機はまた、送信機会（ＴＸＯＰ）開始フレームを、ＳＤＭＡ ＴＸＯＰの開始を示すために、該少なくとも１つの装置へ送信する。
【００２０】
[0020]いくつかの態様は、ワイヤレス通信のための装置を提供する。装置は、概して、シングルユーザ（ＳＵ）送信のための閾値持続時間のインジケーションをアクセスポイントから受信するための受信機と、データの送信時間がＳＵ送信のための閾値持続時間を超えることとなると決定するための処理システムと、この決定に応答して、空間分割多元接続（ＳＤＭＡ）送信用の送信スロットを求める要求メッセージを送信するための送信機とを含む。
【００２１】
[0021]いくつかの態様は、コンピュータ可読媒体を備える、ワイヤレス通信のためのコンピュータプログラム製品を提供する。コンピュータ可読媒体は、概して、シングルユーザ（ＳＵ）送信のための閾値持続時間のインジケーションを１つまたは複数の装置へ送信することと、ＳＵ送信のための前記示された閾値持続時間よりも大きい対応する送信時間をもつデータを有する、１つまたは複数の装置のうちの少なくとも１つから、該データを送信するための空間分割多元接続（ＳＤＭＡ）送信用の送信スロットを求める要求メッセージを受信することと、送信機会（ＴＸＯＰ）開始フレームを、ＳＤＭＡ ＴＸＯＰの開始を示すために、該少なくとも１つの装置へ送信することとを実行可能とする命令を含む。
【００２２】
[0022]いくつかの態様は、コンピュータ可読媒体を備える、ワイヤレス通信のためのコンピュータプログラム製品を提供する。コンピュータ可読媒体は、概して、シングルユーザ（ＳＵ）送信のための閾値持続時間のインジケーションをアクセスポイントから受信することと、データの送信時間がＳＵ送信のための閾値持続時間を超えることとなると決定することと、この決定に応答して、空間分割多元接続（ＳＤＭＡ）送信用の送信スロットを求める要求メッセージを送信することとを実行可能とする命令を含む。
【００２３】
[0023]本開示の上記特徴を詳細に理解できるように、上で簡潔に要約されたより具体的な説明が、態様を参照して行われることができ、そのいくつかは添付の図面に示されている。しかしながら、添付された図面は、本開示のある特定の典型的な態様のみを例示しており、したがって、その説明が他の同等に効果的な態様を認めうることから、その範囲を限定していると考慮されるべきではないことに留意されたい。
【図面の簡単な説明】
【００２４】
【図１】図１は、本開示のいくつかの態様に従ったワイヤレス通信ネットワークの図を示す。
【図２】図２は、本開示のいくつかの態様に従った例示的なアクセスポイントおよびユーザ端末のブロック図を示す。
【図３】図３は、本開示のいくつかの態様に従った例示的なワイヤレスデバイスのブロック図を示す。
【図４】図４は、本開示のいくつかの態様に従った、アクセスポイントおよび複数の局からなる例示的なネットワークを示す。
【図５】図５は、拡張分散チャネル接続（ＥＤＣＡ）手順を利用したアクセスポイントと２つの局との間のメッセージ交換を示す。
【図６】図６は、本開示のいくつかの態様に従った、アップリンクＳＤＭＡ手順を利用したアクセスポイントと２つの局との間のメッセージ交換を示す。
【図７】図７は、本開示のいくつかの態様に従った、ＥＤＣＡプロトコルと、提案されたアップリンクＳＤＭＡプロトコルとの間の比較を示す。
【図８】図８は、本開示のいくつかの態様に従った、アクセスポイントよって用いられるアップリンク空間分割多元接続（ＳＤＭＡ）を実行するための例示的な動作を示す。
【図８Ａ】図８Ａは、図８に示した動作を実行できる例示的なコンポーネントを示す。
【図９】図９は、本開示のある特定の態様に従った、ステーションによって用いられるアップリンクＳＤＭＡを実行するための例示的な動作を示す。
【図９Ａ】図９Ａは、図９に示した動作を実行できる例示的なコンポーネントを示す。
【図１０】図１０は、本開示のいくつかの態様に従った、ワイヤレス通信の例示的な動作を示す。
【発明を実施するための形態】
【００２５】
[0036]本開示の様々な態様が以下に説明される。ここでの教示が広くさまざまな形態で具現化され得ること、ここに開示されている任意の特定の構造、機能、またはその両方は単に代表的なものにすぎないことが理解されるべきである。本明細書での教示に基づいて、当業者は、本明細書に開示された態様が、任意の他の態様とは独立して実現され得ること、および、これらの態様のうちの２つ以上が、様々な方法で組み合わされ得ることを理解すべきである。例えば、本明細書に述べられる任意の数の態様を使用して、装置が実現されることができ、または方法が実施されることができる。さらに、他の構造、機能、または、本明細書に述べられる態様のうちの１つまたは複数に加えた、またはそれ以外の構造および機能を使用して、そのような装置が実現されることができ、または、そのような方法が実施されることができる。さらに、ある態様は、ある請求項の少なくとも１つエレメントを備えることができる。
【００２６】
[0037]「例示的（exemplary）」という用語は、例、事例、または例示としての役割を果たすことを意味するように本明細書において使用される。「例示的」なものとして本明細書に説明される任意の態様は、必ずしも、他の態様よりも好ましい、または利点を有するものと解釈されるべきではない。また、本明細書において使用されるように、用語「レガシ局（legacy stations）」は一般に、ＩＥＥＥ ８０２．１１ｎ1、あるいはＩＥＥＥ ８０２．１１規格のそれ以前のバージョンをサポートするワイヤレスネットワークノードをさす。
【００２７】
[0038]本明細書に記載されたマルチアンテナ送信技術は、例えばコード分割多元接続（ＣＤＭＡ）、直交周波数分割多重化（ＯＦＤＭ）、時分割多元接続（ＴＤＭＡ）、空間分割多元接続（ＳＤＭＡ）などの様々なワイヤレス技術の組み合わせにおいて使用され得る。マルチユーザ端末は、異なる、（１）ＣＤＭＡの直交コードチャネル、（２）ＴＤＭＡのタイムスロット、または（３）ＯＦＤＭのサブバンドを介して、データを並行して（concurrently）送信／受信することができる。ＣＤＭＡシステムは、ＩＳ−２０００、ＩＳ−95、ＩＳ−８５６、広帯域ＣＤＭＡ（Ｗ-ＣＤＭＡ）、あるいはいくつかのその他の標準規格を実装し得る。ＯＦＤＭシステムは、ＩＥＥＥ ８０２．１１あるいはいくつかのその他の標準規格を実装し得る。ＴＤＭＡシステムは、グローバルシステム・フォー・モバイルコミュニケーション（ＧＳＭ）（登録商標）、あるいはいくつかのその他の標準規格を実装し得る。これらの様々な標準規格は、当該技術分野において知られている。
ＭＩＭＯシステムの例
[0039]図１は、アクセスポイントとユーザ端末を有するマルチアクセス（ＭＩＭＯ）システム１００を示す。簡潔にするために、１つのアクセスポイント１１０のみが図１に示されている。アクセスポイント（ＡＰ）は、概して、ユーザ端末と通信する固定局であり、および基地局、ノードＢ、発展したノードＢ（ｅＮＢ）、またはいくつかの他の専門用語でもまた称され得る。ユーザ端末は、固定または移動であることができ、移動局、局（ＳＴＡ）、クライアント、ワイヤレスデバイス、またはいくつかの他の専門用語でも称され得る。ユーザ端末は、例えばセルラ電話、携帯情報端末（ＰＤＡ）、ハンドヘルド型デバイス、ワイヤレスモデム、ラップトップ型コンピュータ、パーソナルコンピュータなどのワイヤレスデバイスであり得る。
【００２８】
[0040]アクセスポイント１１０は、ダウンリンクおよびアップリンクにおいて、任意の与えられた瞬間に１つまたは複数のユーザ端末１２０と通信し得る。ダウンリンク（すなわち、順方向リンク）は、アクセスポイントからユーザ端末への通信リンクであり、アップリンク（すなわち、逆方向リンク）は、ユーザ端末からアクセスポイントへの通信リンクである。ユーザ端末はまた、別のユーザ端末とピアツーピアで通信し得る。システムコントローラ１３０は、アクセスポイントに結合し、アクセスポイントに調整および制御を提供する。
【００２９】
[0041]システム１００は、ダウンリンクおよびアップリンクでのデータ送信のために、複数の送信および複数の受信アンテナを用いる。アクセスポイント１１０は、Ｎap個のアンテナを装備され、ダウンリンク送信のための多入力（ＭＩ）とアップリンク送信のための多出力（ＭＯ）を表している。選択されたユーザ端末１２０のセットＮuは、集合的に、ダウンリンク送信のための多出力とアップリンク送信のための多入力を表している。ある場合において、Ｎu個のユーザ端末についてのデータシンボルストリームが、いくつかの手段によって、コード、周波数、または時間で多重化されない場合、
【００３０】
【数１】
2017539125.tif 000003
【００３１】
を有することが望ましくあり得る。データシンボルストリームが、ＣＤＭＡにより異なるコードチャネルを用いて、ＯＦＤＭにより互いに離れた（disjoint）セットのサブバンドを用いて、などで、多重化できる場合、ＮuはＮapより大きくなり得る。各選択されたユーザ端末は、アクセスポイントへユーザ固有のデータを送信し、および／またはアクセスポイントからユーザ固有のデータを受信する。一般的に、各選択されたユーザ端末は、１つまたは複数のアンテナ（すなわち、
【００３２】
【数２】
2017539125.tif 000004
【００３３】
）を装備し得る。Ｎu個の選択されたユーザ端末は、同じまたは異なる数のアンテナを持つことが可能である。
【００３４】
[0042]ＭＩＭＯシステム１００は、時分割複信（ＴＤＤ）システムまたは周波数分割複信（ＦＤＤ）システムであり得る。ＴＤＤシステムでは、ダウンリンクとアップリンクが、同一の周波数帯域を共有する。ＦＤＤシステムでは、ダウンリンクとアップリンクが、異なる周波数帯域を使用する。ＭＩＭＯシステム１００はまた、送信に、単一のキャリアまたは複数のキャリアを利用し得る。各ユーザ端末には、（たとえば、コストを低く抑えるために）単一のアンテナが、また（たとえば、更なるコストがサポートされることが可能である場合には）複数のアンテナが装備され得る。
【００３５】
[0043]図２は、ＭＩＭＯシステム１００におけるアクセスポイント１１０と２つのユーザ端末１２０ｍおよび１２０ｘのブロック図を示す。アクセスポイント１１０には、Ｎap個のアンテナ２２４a〜２２４apが装備されている。ユーザ端末１２０ｍは、Ｎut,m個のアンテナ２５２ｍａ〜２５２ｍｕを装備され、およびユーザ端末１２０ｘは、Ｎut,x個のアンテナ２５２ｘａ〜２５２ｘｕを装備される。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される場合、「送信エンティティ」は、周波数チャネルを介してデータを送信可能な独立して動作する装置またはデバイスであり、「受信エンティティ」は、周波数チャネルを介してデータを受信可能な独立して動作する装置またはデバイスである。下記の説明では、下付きの文字「ｄｎ」はダウンリンクを表し、下付きの文字「ｕｐ」はアップリンクを表し、Ｎup個のユーザ端末が、アップリンクにおいて同時送信のために選択され、Ｎdn個のユーザ端末が、ダウンリンクにおいて同時送信のために選択されるが、Ｎupは、Ｎdnと等しくてもよいし、または等しくなくてもよく、ＮupとＮdnは、各スケジューリング間隔において、静的な値であってもよいし、または変化してもよい。ビームステアリングまたは何らかの他の空間処理技法が、アクセスポイントおよびユーザ端末において使用され得る。
【００３６】
[0044]アップリンクでは、アップリンク送信のために選択された各ユーザ端末１２０において、ＴＸデータプロセッサ２８８が、データソース２８６からトラフィックデータを、コントローラ２８０から制御データを受信する。コントローラ２８０はまた、メモリ２８２に接続され得る。ＴＸデータプロセッサ２８８は、そのユーザ端末に対して選択されたレートに関連付けられたコーディングおよび変調スキームに基づいて、そのユーザ端末のトラフィックデータを処理（たとえば、符号化、インターリーブ、および変調）し、データシンボルストリーム｛Ｓup,m｝を提供する。ＴＸ空間プロセッサ２９０は、データシンボルストリーム｛Ｓup,m｝に空間処理を実行し、およびＮut,m個の送信シンボルストリームをＮut,m個のアンテナへ提供する。各送信器ユニット（ＴＭＴＲ）２５４は、それぞれの送信シンボルストリームを受信および処理（たとえば、アナログへの変換、増幅、フィルタリング、および周波数アップコンバート）して、アップリンク信号を生成する。Ｎut,m個の送信器ユニット２５４は、Ｎut,m個のアンテナ２５２からアクセスポイント１１０への送信のためのＮut,m個のアップリンク信号を提供する。
【００３７】
[0045]Ｎup個のユーザ端末は、アップリンクでの同時送信のためにスケジュールされ得る。これらのユーザ端末の各々は、そのデータシンボルストリームに空間処理を実行し、アップリンク上で送信シンボルストリームのそのセットをアクセスポイントに送信する。
【００３８】
[0046]アクセスポイント１１０において、Ｎap個のアンテナ２２４ａ〜２２４ａｐは、アップリンク上で送信するＮup個のユーザ端末の全てからアップリンク信号を受信する。各アンテナ２２４は、受信した信号をそれぞれの受信器ユニット（ＲＣＶＲ）２２２に提供する。各受信器ユニット２２２は、送信器ユニット２５４によって実行されたものとは補完的な処理を実行し、受信したシンボルストリームを提供する。ＲＸ空間プロセッサ２４０は、Ｎap個の受信器ユニット２２２からのＮap個の受信シンボルストリームに受信器空間処理を実行し、Ｎup個の回復されたアップリンクデータシンボルストリームを提供する。受信器空間処理は、チャネル相関マトリクス反転（ＣＣＭＩ）、最小平均二乗誤差（ＭＭＳＥ）、逐次干渉除去（ＳＩＣ）、または何らかの他の技法に従って実行される。各回復されたアップリンクデータシンボルストリーム｛Ｓup,m｝は、それぞれのユーザ端末によって送信されたデータシンボルストリーム｛Ｓup,m｝の推定である。ＲＸデータプロセッサ２４２は、各回復されたアップリンクデータシンボルストリーム｛Ｓup,m｝を、そのストリームに使用されたレートに従って処理（たとえば、復調、デインターリーブ、復号）して、復号されたデータを取得する。各ユーザ端末の復号されたデータは、記憶のためにデータシンク２４４に提供され得、および／または、更なる処理のためにコントローラ２３０に提供され得る。コントローラ２３０はまた、メモリ２３２に接続され得る。
【００３９】
[0047]ダウンリンクでは、アクセスポイント１１０において、ＴＸデータプロセッサ２１０は、データソース２０８から、ダウンリンク送信用にスケジュールされたＮdn個のユーザ端末のためのトラフィックデータと、コントローラ２３０からの制御データと、場合によってはスケジューラ２３４からの他のデータとを受信する。様々なタイプのデータが、異なるトランスポートチャネルに送られ得る。ＴＸデータプロセッサ２１０は、各ユーザ端末のトラフィックデータを、そのユーザ端末に対して選択されたレートに基づいて、処理（たとえば、符号化、インターリーブ、および変調）する。ＴＸデータプロセッサ２１０は、Ｎdn個のユーザ端末にＮdn個のダウンリンクデータシンボルストリームを提供する。ＴＸ空間プロセッサ２２０は、Ｎdn個のダウンリンクデータシンボルストリームに空間処理を実行し、およびＮap個のアンテナへＮap個の送信シンボルストリームを提供する。各送信器ユニット（ＴＭＴＲ）２２２は、それぞれの送信シンボルストリームを受信および処理して、ダウンリンク信号を生成する。Ｎap個の送信器ユニット２２２は、Ｎap個のアンテナ２２４からユーザ端末への送信用のＮap個のダウンリンク信号を提供する。
【００４０】
[0048]各ユーザ端末１２０において、Ｎut,m個のアンテナ２５２は、アクセスポイント１１０からＮap個のダウンリンク信号を受信する。各受信器ユニット（ＲＣＶＲ）２５４は、関連付けられたアンテナ２５２から受信した信号を処理し、および受信したシンボルストリームを提供する。ＲＸ空間プロセッサ２６０は、Ｎut,m個の受信器ユニット２５４からのＮut,m個の受信シンボルストリームに受信器空間処理を実行し、および回復されたダウンリンクデータシンボルストリーム｛Ｓdn,m｝をユーザ端末に提供する。受信器空間処理は、ＣＣＭＩ、ＭＭＳＥ、または何らかの他の技法に従って実行される。ＲＸデータプロセッサ２７０は、回復されたダウンリンクデータシンボルストリームを処理（たとえば、復調、デインターリーブ、復号）して、ユーザ端末の復号されたデータを取得する。
【００４１】
[0049]図３は、システム１００内で用いられ得るワイヤレスデバイス３０２で使用され得る様々なコンポーネントを示す。ワイヤレスデバイス３０２は、本明細書において説明される様々な方法を実現するように構成され得るデバイスの例である。ワイヤレスデバイス３０２は、アクセスポイント１１０またはユーザ端末１２０であり得る。
【００４２】
[0050]ワイヤレスデバイス３０２は、ワイヤレスデバイス３０２の動作を制御するプロセッサ３０４を含み得る。プロセッサ３０４はまた、中央処理装置（ＣＰＵ）と呼ばれ得る。メモリ３０６、それは読み取り専用メモリ（ＲＯＭ）とランダムアクセスメモリ（ＲＡＭ）の両方を含み得、プロセッサ３０４に命令およびデータを提供する。メモリ３０６の一部はまた、不揮発性ランダムアクセスメモリ（ＮＶＲＡＭ）を含み得る。プロセッサ３０４は、典型的にメモリ３０６内に記憶されたプログラム命令に基づいて、論理演算および算術演算を実行する。メモリ３０６内の命令は、本明細書で説明される方法を実現するように実行可能であり得る。
【００４３】
[0051]ワイヤレスデバイス３０２はまた、ワイヤレスデバイス３０２と遠隔ロケーションとの間でのデータの送信および受信を可能にする送信器３１０および受信器３１２を含み得るハウジング３０８を含み得る。送信器３１０および受信器３１２は、トランシーバ３１４に統合され得る。複数の送信アンテナ３１６は、ハウジング３０８に接続され得、およびトランシーバ３１４に電気的に結合され得る。ワイヤレスデバイス３０２はまた、（示されていない）複数の送信器と、複数の受信器と、および複数のトランシーバとを含み得る。
【００４４】
[0052]ワイヤレスデバイス３０２はまた、トランシーバ３１４によって受信された信号のレベルを検出および定量化しようとするのに使用され得る信号検出器３１８を含み得る。信号検出器３１８は、総エネルギー、シンボルあたりのサブキャリアごとのエネルギー、電力スペクトル密度および他の信号のような信号を検出し得る。ワイヤレスデバイス３０２はまた、信号を処理する際に使用する、デジタル信号プロセッサ（ＤＳＰ）３２０を含み得る。
【００４５】
[0053]ワイヤレスデバイス３０２の様々なコンポーネントは、バスシステム３２２によって共に結合され得、それは、データバスに加えて電力バス、制御信号バス、ステータス信号バスを含み得る。
【００４６】
[0054]当業者は、本明細書で説明された技術が、ＳＤＭＡ、ＯＦＤＭＡ、ＣＤＭＡ、ＳＤＭＡ、およびそれらの組み合わせなどの多元接続方式のいかなるタイプを利用したシステムにも適用できることが理解できるであろう。
アップリンクＳＤＭＡ送信機会スケジューリング
[0055]本開示のいくつかの態様は、１つまたは複数の局（ＳＴＡ）によるアップリンクＳＤＭＡ送信のための媒体アクセス制御（ＭＡＣ）プロトコルを提示する。いくつかの場合において、アップリンクＳＤＭＡはまた、アップリンクマルチユーザ・多入力・多出力（ＭＵ−ＭＩＭＯ）、アップリンクＯＦＤＭＡ、またさらに一般的にアップリンクＭＵと呼ばれ得る。アクセスポイントは、複数の局からアップリンクＳＤＭＡ送信を求める１つまたは複数の要求を受信し得る。アクセスポイントは、複数の送信をスケジュールし得、およびメッセージを局に送り得る。メッセージは、アップリンクＳＤＭＡ送信のパラメータ、例えばスタート時間、送信の持続時間、各局に割り当てられた空間ストリームなどを含み得る。
【００４７】
[0056]図４は、本開示のいくつかの態様に従った、アクセスポイントおよび複数の局からなる例示的なネットワークを示す。アップリンクＳＤＭＡを利用したとき、２つ以上のＳＴＡ ４０４は、アクセスポイント４０２へデータを同時に送信し得る。
【００４８】
[0057]ＩＥＥＥ ８０２．１１規格を利用するワイヤレスネットワークにおいて、送信要求（ＲＴＳ：Request to Send）／送信クリア（ＣＴＳ：Clear to Send）手順は、ペンディングの（pending）データ送信のために、ワイヤレス媒体の一部を予約するために使用され得る。しかしながら、アップリンクＳＤＭＡでは、１つまたは複数の局からの１つまたは複数のアップリンク送信（すなわち、送信機会（ＴＸＯＰ））が、並行におよび同時に起こり得る。
【００４９】
[0058]本開示のいくつかの態様では、アップリンクＳＤＭＡ ＴＸＯＰ中に、複数の局はアクセスポイントへ同時に送信し得る。各ＳＴＡは、異なる空間ストリームを使用し得る。ＡＰは、異なる局の複数のアップリンクＳＤＭＡ送信をスケジュールすることができ、および１つまたは複数の空間ストリームを、ＴＸＯＰ開始（ＴＸＳ）フレームを介して複数の局の各々に割り当て得る。
【００５０】
[0059]いくつかの態様では、ＡＰは、選択されたＳＴＡにおいて、およびそれらＳＴＡ内の選択されたアクセスカテゴリ（ＡＣ）のために、アップリンクＳＤＭＡをイネーブルにし得る。アクセスカテゴリは、ＳＴＡ内の他のＡＣに依存しない、媒体アクセスを求めて競合するフレームキューと等価である。ＳＴＡは、４つの内部ＡＣを持ち得る。競合アクセスは、拡張分散チャネル接続（ＥＤＣＡ：Emhanced Distributed Channel Access）（すなわち、ＩＥＥＥ ８０２．１１ｅ規格）に基づくことができる。ＥＤＣＡは、ボイス、ビデオ、ベストエフォートおよびバックグランドなどの異なるアクセスカテゴリをサポートするワイヤレス媒体に対して、区別されたおよび分散されたアクセスをサポートする。
【００５１】
[0060]図５は、アクセスポイントとＥＤＣＡ手順を利用した２つの局との間のメッセージ交換を示す。図示するように、ＳＴＡ１のバックオフタイマ５１２が終了するとき、ＳＴＡ１はＲＴＳメッセージ５０２をＡＰに送り得る。ＡＰは、ＲＴＳに応答して、ＣＴＳメッセージ５０４を送り得る。その後、ＳＴＡ１は、ＴＸＯＰ ＳＴＡ１ ５０６において、そのデータを送信し得る。アクセスポイントは、ブロック確認応答（ＢＡ）メッセージ５０８を送信することによって、ＳＴＡ１からのデータの受信を確認応答し得る。ＳＴＡ１が送信している時間、ＳＴＡ２はワイヤレス媒体を監視し得る。ＳＴＡ１がその送信を終了したとき、ＳＴＡ２は、ワイヤレス媒体へのアクセスを要求するために、ＲＴＳメッセージをＡＰへ送信し得る。ＡＰはまた、ＣＴＳメッセージを送信し、ＳＴＡ２からの送信を受信する。
【００５２】
[0061]図６は、本開示のいくつかの態様に従った、アップリンクＳＤＭＡ手順を利用した、アクセスポイントと２つの局との間のメッセージ交換を示す。局はアップリンクＳＤＭＡ送信が可能であり、アップリンクＳＤＭＡはイネーブルにされる。ＳＴＡは、ＲＴＳ５０２（図５）を送る代わりに、ＴＸＯＰ要求（ＴＸＲ）６０２をＡＰへ送り得る。ＳＴＡ内のＡＣが、アップリンクＳＤＭＡを実行可能であり、ワイヤレス媒体へのアクセスを獲得したとき、ＴＸＲは送られる。ＴＸＲ６０２はまた、どのＡＣが媒体へのアクセスを獲得したかを指定し得る（たとえば、ＡＣのバックオフタイマがゼロに達するか、または終了する）。
【００５３】
[0062]いくつかの態様では、ＡＰが十分な数のＴＸＲフレームを受信したとき、ＡＰは、ＴＸＯＰ開始（ＴＸＳ）６０６フレームを局に送ることによって、アップリンクＳＤＭＡ ＴＸＯＰ６０８を開始し得る。ＴＸＳフレームは、アップリンクＳＤＭＡ ＴＸＯＰ６０８に含まれるＳＴＡのＳＴＡ識別子（ＩＤｓ）、該ＳＴＡの各々に割り当てられた空間ストリーム、およびアップリンクＳＤＭＡ ＴＸＯＰの持続時間を指定し得る。ＴＸＳフレームはまた、アップリンクＳＤＭＡ ＴＸＯＰ６０８の持続時間に対してネットワークアロケーションベクトル（ＮＡＶ：network allocation vector）を設定し得る。ＮＡＶは、アップリンクＳＤＭＡ送信に加わらない他の局に、アップリンクＳＤＭＡの持続時間が終了するまで、それらの送信を控えさせ得る。アクセスポイントは、１つまたは複数のＳＤＭＡ送信の受信を確認応答するために、１つまたは複数の確認応答フレーム６１２をＳＴＡに送信し得る。
【００５４】
[0063]いくつかの態様では、ＡＰは、ＳＴＡからＴＸＲを受信した後、他のＳＴＡからさらなるＴＸＲフレームを受信することなく、時間閾値が超えられたとき、アップリンクＳＤＭＡ ＴＸＯＰを開始し得る。
【００５５】
[0064]アップリンクＳＤＭＡ ＴＸＯＰ６０８中に、複数のＳＴＡは、ＴＸＳフレーム内でそれらに割り当てられた空間ストリームを使用してデータを送信し得る。この送信は、統合された（aggregated）ＭＳＤＵ （Ａ−ＭＳＤＵ）を使用して統合された１つまたは複数のＭＡＣサービスデータユニット（ＭＳＤＵ）、および統合されたＭＰＤＵ （Ａ−ＭＰＤＵ）を使用して統合された１つまたは複数のＭＡＣプロトコルデータユニット（ＭＰＤＵ）、または両方を含み得る。
【００５６】
[0065]いくつかの態様では、アップリンクＳＤＭＡ送信内のＭＰＤＵは、ＡＰによって即時の応答を要求されない確認応答（ＡＣＫ）ポリシーを示し得る。例えば、ブロックＡＣＫ確認応答ポリシーは、通常使用される暗黙のブロック確認応答要求（ＢＡＲ）確認応答ポリシーの代わりに、アップリンク送信で使用され得る。アップリンク送信はＢＡＲフレームを含み、それは、ＡＰで次に使用可能なＴＸＯＰにおいて、ＡＰにブロック確認応答（ＢＡ）６１２フレームを送ることを要求し得る。
【００５７】
[0066]いくつかの態様では、アップリンクＳＤＭＡ ＴＸＯＰの終了時に、ＡＰは、要求されたＢＡフレームを送り得る。ＡＰは、１つまたは複数の局にＢＡフレームを順次送り得る。例えば、ＡＰは、アップリンクＳＤＭＡ ＴＸＯＰ６０８の終了後に、ショートインターフレームスペース（Short Inter-frame Space）（ＳＩＦＳ）時間が経過したとき、第１のＢＡフレーム６１２を第１の局に送り得る。ＡＰは、第１のＢＡの送信の終了後に、ＳＩＦＳ時間が経過したとき、第２のＢＡフレームを第２の局に送り得る。従って、複数の局に対するＢＡフレームは、ＳＩＦＳ期間で分離され得る。
【００５８】
[0067]図７は、本開示のいくつかの態様に従った、通常の拡張分散チャネル接続（ＥＤＣＡ：enhanced distributed channel access）と、提案されたアップリンクＳＤＭＡプロトコルとの間の比較を示す。図の上部分は、局がアップリンクＳＤＭＡを実行するための能力を持たないとき、ＥＤＣＡ手順を使用する、アクセスポイントと２つの局との間のパケット交換を示す。図の下部分は、アップリンクＳＤＭＡを使用する、アクセスポイントと２つの局との間のパケット交換を示す。図示するように、アップリンクＳＤＭＡにおける送信は並行に実行され得るため、アップリンクＳＤＭＡを使用するシステムにおいて、ＡＰと複数の局との間の通信に要する時間は、ＥＤＣＡ手順を使用するシステムよりずっと短い。
【００５９】
[0068]図８は、本開示のいくつかの態様に従った、アクセスポイントよって用いられ得るアップリンクＳＤＭＡを実行するための動作８００の例を示す。８０２において、空間分割多元接続（ＳＤＭＡ）送信用の送信スロットを求める１つまたは複数の要求メッセージは、１つまたは複数の装置（たとえば、局）から受信され得る。８０４において、アクセスポイントは、ＳＤＭＡ ＴＸＯＰの開始を示すために、送信機会（ＴＸＯＰ）開始フレームを１つまたは複数の装置へ送信し得る。アクセスポイントは、要求メッセージを送ってきた装置によって要求されたリソースの量を決定し得る。リソースの量が閾値より大きいかまたは等しい場合、ＡＰはＴＸＯＰ開始フレームを送信し得る。
【００６０】
[0069]アクセスポイントは、ＴＸＯＰ開始フレームによって、複数の装置から１つまたは複数のＳＤＭＡ送信を受信し得る。ＳＤＭＡ送信の少なくとも１つは、確認応答フレームの即時の送信を必要としない確認応答ポリシーを示し得る。
【００６１】
[0070]図９は、本開示のいくつかの態様に従った、局によって用いられ得るアップリンクＳＤＭＡを実行するための動作９００の例を示す。９０２において、空間分割多元接続（ＳＤＭＡ）送信用の送信スロットを求める要求メッセージは、装置へ送信される。９０４において、ＴＸＳフレームは、当該装置から受信され、ＳＤＭＡ送信の開始のインジケーションを備える。９０６において、ＳＤＭＡデータは、ＴＸＯＰ開始フレームに従ってＴＸＯＰ中に送信される。局は、ＴＸＯＰに対して割り当てられた持続時間を利用して、１つまたは複数の空間ストリームで、ＳＤＭＡデータを送信し得、ここで、空間ストリームおよび割り当てられた持続時間は、ＴＸＯＰ開始フレームにおいて受信される。
【００６２】
[0071]いくつかの態様では、アップリンク送信は、ＢＡＲフレームを含まず、複数のＳＴＡは、アップリンクＳＤＭＡ ＴＸＯＰの終了後に、ＥＤＣＡ競合を使用してＢＡＲフレームを別々に送り得る。この方法の利点は、ＢＡ受信の持続時間のために媒体をクリアにするために、ＳＴＡがＢＡＲフレームの間中ＮＡＶを局所的に設定できることである。ＡＰは、この目的のために使用し得る、固定のバックオフタイマ値をＳＴＡに提供し得る。
【００６３】
[0072]いくつかの態様では、ＡＰがアップリンクＳＤＭＡ ＴＸＯＰを適切にスケジュールするために十分なＴＸＲを受信しない場合、ＡＰは、局に対して、局が通常のＥＤＣＡ動作を使用できるように、アップリンクＳＤＭＡをディセーブルにし得る。
【００６４】
[0073]アップリンクＳＤＭＡはまた、アップリンクＭＵ−ＭＩＭＯ、アップリンクＯＦＤＭＡ、または、より一般的には、（アップリンクシングルユーザ（ＳＵ）とは対称的に）アップリンクマルチユーザ（ＭＵ）と称され得る。本明細書で説明する技術は、概してアップリンクＭＵに適用できる（および、アップリンクＭＵおよびアップリンクＳＤＭＡの用語は交換可能に使用され得る）。
【００６５】
[0074]いくつかの態様によれば、アップリンクＭＵ送信をイネーブルにすること、またはディセーブルにすることに代えて、上述したように、ＡＰは、アップリンクシングルユーザ（ＳＵ）送信のための閾値持続時間（たとえば、最大時間）を決定し、１つまたは複数のＳＴＡへ送信し得る。いくつかの場合、閾値は１つまたは複数の特定のアクセスカテゴリ（ＡＣ）に提供され得る。ＳＴＡが、送信すべき（バッファリングされた）データを持ち、それは閾値持続時間より長い送信時間を必要とするとき、ＳＴＡはアップリンクＭＵ ＴＸＯＰを要求し得る。
【００６６】
[0075]例えば、ＳＴＡは、ＴＸＲフレーム、ＳＴＡにおけるバッファサイズを示すＱｏＳヌルフレーム、または最大持続時間を超えず、およびＳＴＡにおけるバッファサイズを示すＱｏＳデータフレームを送信することによって、アップリンクＭＵ ＴＸＯＰを要求し得る。受信された、アップリンクＭＵ ＴＸＯＰの要求に基づいて、ＡＰはアップリンクＭＵ ＴＸＯＰを始め得る。
【００６７】
[0076]他方、局が閾値持続時間より短いかまたは等しい送信時間を有するデータを持つとき、ＳＴＡはＳＵ送信としてそのデータを送信し得る。言い換えると、短いデータフレーム（すなわち、閾値持続時間を超えないデータフレーム）が、ＳＴＡによってＳＵ送信として送信され得るが、長いフレーム（すなわち、閾値持続時間を超えるデータフレーム）については、ＳＴＡはアップリンクＭＵ ＴＸＯＰを要求することを必要とし得る。
【００６８】
[0077]図１０は、アップリンクＳＤＭＡ送信またはシングルユーザ（ＵＳ）送信を使用して送信するための、例えば、局（ＳＴＡ）によって実行され得る動作１０００の例を示す。
【００６９】
[0078]動作１０００は、１００２において、ＳＵ送信のための閾値持続時間を決定することによって始まる。いくつかの態様によれば、閾値持続時間は、アクセスカテゴリ（ＡＣ）ごとに決定され得、アクセスポイント（ＡＰ）からシグナリングされ得る。
【００７０】
[0079]１００４において、ＳＴＡは、データフレームを生成し、１００６において、データフレームの送信時間がＳＵ送信のための閾値持続時間を超えるかどうかを決定する。データフレームの送信時間がＳＵ送信の閾値を超えない場合、１００８において、ＳＴＡはデータフレームをＳＵ送信として送信する。他方、データフレームの送信時間がＳＵ送信の閾値を超える場合、１０１０において、ＳＴＡはＳＤＭＡ ＴＸＯＰ（すなわち、ＭＵ ＴＸＯＰ）を要求し、１０１２において、データフレームを送信する。
【００７１】
[0080]いくつかの態様によれば、ＴＸＲを介してまたは非ゼロキューサイズのいずれかを介して、第１のアップリンクＭＵ ＴＸＯＰ要求を受信した後、ＡＰは、バックオフスロットの予め定められた数（すなわち、予め定められたバックオフ）を用いてバックオフカウンタを始め得る。この予め定められたバックオフが、十分な後続のアップリンクＭＵ ＴＸＯＰ要求が受信されることなく、終了したとき、ＡＰは、ここまで受信されたアップリンクＭＵ ＴＸＯＰ要求にかなうアップリンクＭＵ ＴＸＯＰを開始するために、ＴＸＳフレームを送り得る。いくつかの態様によれば、ＡＰがアップリンクＭＵ ＴＸＯＰを満たす十分なＴＸＯＰ要求を受信した場合、ＡＰは、アップリンクＭＵ ＴＸＯＰを満たせるＴＸＲに応答して、ＴＸＳを送信し得る。
【００７２】
[0081]いくつかの態様によれば、（ＴＸＲまたは非ゼロバッファサイズ、または両方を介して）アップリンクＭＵ ＴＸＯＰ要求を送信した後、ＳＴＡは、ＡＰがアップリンクＭＵ ＴＸＯＰを始めるのに使用するタイムスロットの数で次のアップリンクＴＸＯＰのためのバックオフを増やし得る。ＳＴＡはその後、この増加したバックオフのインジケーションをＡＰへ送信し得る。
【００７３】
[0082]いくつかの態様によれば、アップリンクＭＵ ＴＸＯＰを受信した後、ＳＴＡは、ＡＰがアップリンクＭＵ ＴＸＯＰを始めるのに使用するべきタイムスロットの数で次のアップリンクＴＸＯＰのためのバックオフを増やし得る。ＡＰは、前のアップリンクＭＵ ＴＸＯＰ中に受信したキューサイズ情報に基づいて、後続のアップリンクＭＵ ＴＸＯＰを始め得る。
【００７４】
[0083]上述された方法の様々な動作は、対応する機能を実行することが可能な任意の適した手段によって実行され得る。手段は、回路、特定用途向け集積回路（ＡＳＩＣ）、またはプロセッサを含むがそれらに限定されるわけではなく、様々なハードウェアおよび／またはソフトウェアコンポーネント（複数を含む）および／またはモジュール（複数を含む）を含み得る。一般に、図内に例示される動作が存在する場合、それらの動作は、同様の番号を有する対応する対照のミーンズプラスファンクションコンポーネントを有し得る。例えば、図８中のブロック８０２−８０４は、図８Ａに示した回路ブロック８０２Ａ−８０４Ａに対応する。加えて、図９中のブロック９０２−９０６は、図９Ａに示した回路ブロック９０２Ａ−９０６Ａに対応する。
【００７５】
[0084]本明細書で使用される場合、「決定すること（determining）」という用語は、幅広い様々な動作を包含する。例えば、「決定すること」は、算出すること、計算すること、処理すること、導出すること、調査すること、ルックアップすること（たとえば、テーブル、データベースまたは別のデータ構造においてルックアップすること）、確かめること等を含み得る。また、「決定すること」は、受信すること（たとえば、情報を受信すること）、アクセスすること（たとえば、メモリ内のデータにアクセスすること）等を含み得る。また、「決定すること」は、解決すること、選択すること、選ぶこと、確立すること等を含み得る。
【００７６】
[0085]本明細書で使用される場合、「ＡまたはＢの少なくとも１つ」という句は、ＡおよびＢの任意の組み合わせを含む。言い換えると、「ＡまたはＢの少なくとも１つ」は、ＡまたはＢ、またはＡおよびＢを備える。それはまた、複数のＡ、複数のＢ、または複数のＡと複数のＢの組み合わせを備える。送信の手段は送信器を備え、受信の手段は受信器を備え、および決定の手段は回路またはプロセッサを備えることに留意すべきである。
【００７７】
[0086]上述された方法の様々な動作は、様々なハードウェアおよび／またはソフトウェアコンポーネント（複数を含む）、回路（複数を含む）、および／またはモジュール（複数を含む）などの、動作を実行することが可能な任意の適した手段によって実行され得る。一般に、図内に例示される任意の動作は、それらの動作を実行可能な対応する機能的手段によって実行され得る。
【００７８】
[0087]本開示に関連して説明された、様々な例示的な論理ブロック、モジュール、および回路は、本明細書において説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、離散ゲートまたはトランジスタ論理、離散ハードウェアコンポーネント、またはそれらの任意の組み合わせで、実現または実行され得る。汎用プロセッサは、マイクロプロセッサであり得るが、代替として、このプロセッサは、任意の商業的に利用可能なプロセッサ、コントローラ、マイクロコントローラ、またはステートマシン（state machine）であり得る。プロセッサはまた、コンピューティングデバイスの組み合わせとして、たとえば、ＤＳＰとマイクロプロセッサの組み合わせ、複数のマイクロプロセッサ、ＤＳＰコアを有する１つまたは複数のマイクロプロセッサ、あるいは、このような構成の任意の他のものとして実現され得る。
【００７９】
[0088]１つまたは複数の例示的な実施例において、記載された機能は、ハードウェア、ソフトウェア、ファームウェア、またはそれらの任意の組み合わせで実現され得る。ソフトウェアにて実現される場合、その機能は、コンピュータ可読媒体上における１つまたは複数の命令またはコードとして記憶または送信され得る。コンピュータ可読媒体は、コンピュータ記憶媒体と、１つの場所から別の場所へのコンピュータプログラムの転送を容易にする任意の媒体を含む通信媒体との両方を含む。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは命令もしくはデータ構造の形で所望のプログラムコードを搬送または記憶するために使用されることができ、コンピュータによってアクセスされることができる任意の他の媒体を備えることができる。また、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、この同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。このように、いくつかの態様において、コンピュータ可読媒体は、非一時的コンピュータ可読媒体（たとえば、有形媒体）を備え得る。さらに、いくつかの態様では、コンピュータ可読媒体は、一時的コンピュータ可読媒体（たとえば、信号）を備え得る。上記の組み合わせもまた、コンピュータ可読媒体の範囲内に含まれるべきである。
【００８０】
[0089]本明細書に開示された方法は、説明された方法を達成するための１つまたは複数のステップまたは動作を備える。方法のステップおよび／または動作は、特許請求の範囲から逸脱することなく互いに置き換えられ得る。言い換えれば、ステップまたは動作の特有の順序が指定されない限り、特有のステップおよび／または動作の順序および／または使用は、特許請求の範囲から逸脱することなしに修正され得る。
【００８１】
[0090]説明された機能は、ハードウェア、ソフトウェア、ファームウェア、またはそれらの任意の組み合わせで実現され得る。ソフトウェアにて実現される場合、その機能は、１つまたは複数の命令群として、コンピュータ可読媒体に記憶され得る。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは命令もしくはデータ構造の形で所望のプログラムコードを搬送または記憶するために使用されることができ、コンピュータによってアクセスされることができる任意の他の媒体を備えることができる。ディスク（disk）およびディスク（disc）は、本明細書で使用される場合、コンパクトディスク（disc）（ＣＤ）、レーザーディスク（登録商標）（disc）、光学ディスク（disc）、デジタル多用途ディスク（disc)（ＤＶＤ）、フロッピー（登録商標）ディスク（disk）、およびＢｌｕ−ｒａｙ（登録商標）ディスク（disc）を含み、ここで、ディスク（disｋ）は通常、磁気的にデータを再生し、その一方でディスク（disc）は、レーザーを用いて光学的にデータを再生する。
【００８２】
[0091]このように、いくつかの態様は、本明細書において提示された動作を実行するためのコンピュータプログラム製品を備え得る。例えば、そのようなコンピュータプログラム製品は、その上に命令が記憶（および／または符号化）されたコンピュータ可読媒体を備えることができ、命令は、本明細書で説明された動作を実行するために、１つまたは複数のプロセッサによって実行可能である。いくつかの態様では、コンピュータプログラム製品は、パッケージ材料を含み得る。
【００８３】
[0092]ソフトウェアまたは命令はまた、送信媒体を介して送信され得る。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、この同軸ケーブル、光ファイバーケーブル、ツイストペア、ＤＳＬ、または赤外線、無線、およびマイクロ波のようなワイヤレス技術は、送信媒体の定義に含まれる。
【００８４】
[0093]さらに、本明細書で説明された方法および技術を実行するためのモジュールおよび／または他の適切な手段が、ダウンロードされることができること、および／または、そうでなければ、ユーザ端末および／または基地局によって、適用可能に得られることが認識されるべきである。例えば、そのようなデバイスは、本明細書で説明された方法を実行するための手段の転送を容易にするためにサーバに結合されることができる。代替として、本明細書で説明された様々な方法は、デバイスに記憶手段を結合または提供する際に、ユーザ端末および／または基地局が様々な方法を取得することができるように、記憶手段（たとえば、ＲＡＭ、ＲＯＭ、コンパクトディスク（ＣＤ）またはフロッピー（登録商標）ディスクのような物理記憶媒体等）を介して提供されることができる。さらに、本明細書で説明された方法および技術をデバイスに提供するための任意の他の適切な技術が、利用されることができる。
【００８５】
[0094]本願の特許請求の範囲は、上述のまさにその構成およびコンポーネントに限定されないことが、理解されるべきである。様々な修正、変更、および変形が、上記に説明された方法および装置の配置、動作および詳細において、特許請求の範囲から逸脱することなく行われ得る。
【００８６】
[0095]本明細書に提供された技術は、様々なアプリケーションに利用し得る。いくつかの態様では、本明細書に示された技術は、本明細書に提供された技術を実行するために、論理および素子の処理を有するアクセスポイントステーション、アクセス端末、モバイルハンドセット、またはワイヤレスデバイスの他のタイプに組み込まれ得る。
【００８７】
[0096]上記は本発明の態様を対象とするが、それの基本的範囲から逸脱することなく、本発明の他の態様およびさらなる態様が考案され得、それの範囲は以下の特許請求の範囲によって決定される。
【図１】
2017539125.tif 000005
【図２】
2017539125.tif 000006
【図３】
2017539125.tif 000007
【図４】
2017539125.tif 000008
【図５】
2017539125.tif 000009
【図６】
2017539125.tif 000010
【図７】
2017539125.tif 000011
【図８】
2017539125.tif 000012
【図８Ａ】
2017539125.tif 000013
【図９】
2017539125.tif 000014
【図９Ａ】
2017539125.tif 000015
【図１０】
2017539125.tif 000016
【国際調査報告】
2017539125.tif 000017
2017539125.tif 000018
2017539125.tif 000019